(57)【要約】【課題】一回の爪切りで、爪先の回りを丸く滑らかに切れるようにする。【解決の手段】犬猫等のペットの爪を切る爪切りで、楕円形の輪を二分割して刃体を造り、又は円形の輪を二分割して刃体を造り、円弧の刃体の縁を刃に加工し、２個の円弧の刃体が刃先を向き合わせて組み合わされ、２個の円弧の刃体にピンを取り付け、２個の円弧の刃体がピンを中心に円運動である開閉運動の往復運動ができるようにし、上下の刃体の刃の間にあるペットの爪を切ることができる、以上のことを特徴とするペット用爪切り。【選択図】    図４
2004208993.tif 000002
【特許請求の範囲】
【請求項１】
犬猫等のペットの爪を切る爪切りで、楕円形の厚みの有る輪を二分割して刃体Ａを造り、楕円形の厚みの有る輪の刃体Ａの両端の切り口は楕円形の輪の面に対して斜めに切って、又は円形の厚みの有る輪を二分割して刃体Ａを造り、円形の厚みの有る輪の刃体Ａの両端の切り口は円形の輪の面に対して斜めに切って、厚みの有る輪を二分割した円弧の刃体Ａの片端付近の外側に腕部材Ｃを外側に向けて取り付け、腕部材Ｃは円弧の刃体Ａの輪の面に水平に取り付け、輪を二分割した円弧の刃体Ａのもう一方の片端付近の外側に腕部材Ｄを外側に向けて取り付け、腕部材Ｄは円弧の刃体Ａの輪の面に水平に取り付け、厚みの有る輪を斜めに切った円弧の刃体Ａにおいて円弧の長い方に腕部材Ｃと腕部材Ｄを取り付けて、厚みの有る輪を斜めに切った円弧の刃体Ａにおいて円弧の短い方の縁を刃Ｂに加工し、刃体Ａに刃Ｂを取り付け、腕部材Ｃにピン穴Ｆの開いた部材Ｅを取り付け、及びもう一方の腕部材Ｄにピン穴Ｆの開いた部材Ｅを取り付け、腕部材Ｃに取り付けた部材Ｅのピン穴Ｆの向きは、円弧の刃体Ａの輪の面に向けて刃体Ａの輪の面に平行に取り付け、及びもう一方の腕部材Ｄに取り付けた部材Ｅのピン穴Ｆの向きは、円弧の刃体Ａの輪の面に向けて刃体Ａの輪の面に平行に取り付け、円弧の刃体Ａの中央に刃体Ａの輪の面に平行にピン穴Ｇを開け、２個の円弧の刃体Ａが輪の面に対して斜めに切った切り口を合わせて組み合わされ、腕部材Ｃの長さと腕部材Ｄの長さを調節して２個の円弧の刃体Ａを組み合わせ、組み合わせた切り口は２個の刃体Ａのピン穴Ｇを結んだ直線より上にあり、２個の円弧の刃体Ａを組み合わせた両側の部材Ｅのピン穴ＦにピンＨを通し、２個の円弧の刃体ＡがピンＨを中心に円運動である開閉運動の往復運動ができるようにし、２個の円弧の刃体Ａが刃先を向き合わせて組み合わされ、２個の円弧の刃体Ａを組み合わせた両側の円弧の刃体Ａのピン穴ＧにピンＪを通し、支持部材Ｋにピン穴を開けピンＪを通し、支持部材Ｋは円弧の刃体Ａの両側にピンＪを用いて取り付け、上下の円弧の刃体Ａの両側に取り付けた２個の支持部材Ｋを板バネＸに取り付け、上下で２個の板バネＸが支持部材Ｋを取り付けた反対側で接続して固定し、板バネＸの外側に押圧操作レバーＹを取り付け、上下で２個の板バネＸと押圧操作レバーＹは輪Ｚを廻らせて取り付け、押圧操作レバーＹを押して下げることで、上下で２個の板バネＸは近づくように押圧操作レバーＹを加工して取り付け、押圧操作レバーＹを押して下げることで、上下の刃体Ａの刃Ｂの先が全線で完全に接触し、上下の刃体Ａの刃Ｂの間にあるペットの爪を切ることができる、以上のことを特徴とするペット用爪切り。
【請求項２】
犬猫等のペットの爪を切る爪切りで、楕円形の輪を二分割して刃体Ａを造り、又は円形の輪を二分割して刃体Ａを造り、円弧の刃体Ａに腕部材Ｃ，Ｄを取り付け、円弧の刃体Ａの縁を刃Ｂに加工し、腕部材Ｃ，Ｄにピン穴Ｆの開いた部材Ｅを取り付け、２個の円弧の刃体Ａが刃先を向き合わせて組み合わされ、２個の円弧の刃体Ａを組み合わせた両側の部材Ｅのピン穴ＦにピンＨを通し、２個の円弧の刃体ＡがピンＨを中心に円運動である開閉運動の往復運動ができるようにし、上下の刃体Ａの刃Ｂの間にあるペットの爪を切ることができる、以上のことを特徴とするペット用爪切り。
【請求項３】
犬猫等のペットの爪を切る爪切りで、楕円形の輪を二分割して刃体Ａを造り、又は円形の輪を二分割して刃体Ａを造り、円弧の刃体Ａの縁を刃Ｂに加工し、２個の円弧の刃体Ａが刃先を向き合わせて組み合わされ、２個の円弧の刃体ＡにピンＨを取り付け、２個の円弧の刃体ＡがピンＨを中心に円運動である開閉運動の往復運動ができるようにし、上下の刃体Ａの刃Ｂの間にあるペットの爪を切ることができる、以上のことを特徴とするペット用爪切り。
【発明の詳細な説明】
【０００１】
【発明の属する技術分野】
犬猫等のペットの爪切りの技術。
【０００２】
【従来の技術】
ペット用の爪切りで爪を切ると、爪の回りが角張って切れ、爪が引っ掛かる。
【０００３】
【発明が解決しようとする課題】
一回の爪切りで、爪先の回りを丸く滑らかに切れるようにする。
【０００４】
【課題を解決するための手段】
犬猫等のペットの爪を切る爪切りで、楕円形の輪を二分割して刃体を造り、又は円形の輪を二分割して刃体を造り、円弧の刃体の縁を刃に加工し、２個の円弧の刃体が刃先を向き合わせて組み合わされ、２個の円弧の刃体にピンを取り付け、２個の円弧の刃体がピンを中心に円運動である開閉運動の往復運動ができるようにし、上下の刃体の刃の間にあるペットの爪を切ることができる、以上のことを特徴とするペット用爪切り。
【０００５】
【発明の実施の形態】
発明の実施の形態を実施例にもとづき図面を参照にして説明する。
図１において、楕円形の厚みの有る輪を二分割して刃体Ａを造り、楕円形の厚みの有る輪の刃体Ａの両端の切り口は楕円形の輪の面に対して斜めに切って、又は円形の厚みの有る輪を二分割して刃体Ａを造り、円形の厚みの有る輪の刃体Ａの両端の切り口は円形の輪の面に対して斜めに切って、厚みの有る輪を二分割した円弧の刃体Ａの片端付近の外側に腕部材Ｃを外側に向けて取り付け、腕部材Ｃは円弧の刃体Ａの輪の面に水平に取り付け、輪を二分割した円弧の刃体Ａのもう一方の片端付近の外側に腕部材Ｄを外側に向けて取り付け、腕部材Ｄは円弧の刃体Ａの輪の面に水平に取り付け、厚みの有る輪を斜めに切った円弧の刃体Ａにおいて円弧の長い方（上側）に腕部材Ｃと腕部材Ｄを取り付けて、厚みの有る輪を斜めに切った円弧の刃体Ａにおいて円弧の短い方（下側）の縁を刃Ｂに加工し、刃体Ａに刃Ｂを取り付け、腕部材Ｃにピン穴Ｆの開いた部材Ｅを取り付け、及びもう一方の腕部材Ｄにピン穴Ｆの開いた部材Ｅを取り付け、腕部材Ｃに取り付けた部材Ｅのピン穴Ｆの向きは、円弧の刃体Ａの輪の面に向けて刃体Ａの輪の面に平行に取り付け、及びもう一方の腕部材Ｄに取り付けた部材Ｅのピン穴Ｆの向きは、円弧の刃体Ａの輪の面に向けて刃体Ａの輪の面に平行に取り付け、腕部材Ｃは腕部材Ｄより長くし、円弧の刃体Ａの中央に刃体Ａの輪の面に平行にピン穴Ｇを開けた。
【０００６】
図２において、２個の円弧の刃体Ａが輪の面に対して斜めに切った切り口を合わせて組み合わされ、腕部材Ｃの長さと腕部材Ｄの長さを調節して２個の円弧の刃体Ａを組み合わせ、組み合わせた全ての切り口は２個の刃体Ａのピン穴Ｇを結んだ直線より上にあるようにする。
【０００７】
図３，図４において、２個の円弧の刃体Ａを組み合わせた両側の部材Ｅのピン穴ＦにピンＨを通し、２個の円弧の刃体ＡがピンＨを中心に円運動である開閉運動の往復運動ができるようにし、２個の円弧の刃体Ａが刃先を向き合わせて組み合わされ、２個の円弧の刃体Ａを組み合わせた両側の円弧の刃体Ａのピン穴ＧにピンＪを通し、支持部材Ｋにピン穴を開けピンＪを通し、支持部材Ｋは円弧の刃体Ａの両側にピンＪを用いて取り付け、上下の円弧の刃体Ａの両側に取り付けた２個の支持部材Ｋを板バネＸに取り付け、上下で２個の板バネＸは支持部材Ｋを取り付けた反対側で接続して固定し、板バネＸの外側（上側）に押圧操作レバーＹを取り付け、上下で２個の板バネＸと押圧操作レバーＹは輪Ｚを廻らせて取り付け、押圧操作レバーＹを押して下げることで、上下で２個の板バネＸは近づくように、押圧操作レバーＹは梃子を使えるように加工して取り付け、押圧操作レバーＹを押して下げることで、上下の刃体Ａの刃Ｂの先が全線で完全に接触し、上下の刃体Ａの刃Ｂの間にあるペットの爪を切ることができるペット用爪切りである。
【０００８】
【実施例】
発明の実施例を図面を参照にして説明する。
犬猫等のペットの爪を切る爪切りで、全ての部材は金属で造り、図１において、長軸２０ｍｍで短軸１２ｍｍで厚み４ｍｍの楕円形の輪を二分割して刃体Ａを造り、楕円形の厚みの有る輪の刃体Ａの両端の切り口は楕円形の輪の面に対して７５度の斜めに切って、輪を二分割した円弧の刃体Ａの片端付近の外側に長さ４ｍｍで厚さ１ｍｍの腕部材Ｃを外側に向けて取り付け、腕部材Ｃは円弧の刃体Ａの輪の面に水平に取り付け、輪を二分割した円弧の刃体Ａのもう一方の片端付近の外側に長さ３ｍｍで厚さ１ｍｍの腕部材Ｄを外側に向けて取り付け、腕部材Ｄは円弧の刃体Ａの輪の面に水平に取り付け、厚みの有る輪を斜めに切った円弧の刃体Ａにおいて円弧の長い方（上側）に腕部材Ｃと腕部材Ｄを取り付けて、厚みの有る輪を斜めに切った円弧の刃体Ａにおいて円弧の短い方（下側）の縁を刃Ｂに加工し、刃体Ａに刃Ｂを取り付け、腕部材Ｃに直径１ｍｍのピン穴Ｆの開いた厚さ１ｍｍの部材Ｅを取り付け、及びもう一方の腕部材Ｄに直径１ｍｍのピン穴Ｆの開いた厚さ１ｍｍの部材Ｅを取り付け、腕部材Ｃに取り付けた部材Ｅのピン穴Ｆの向きは、円弧の刃体Ａの輪の面に向けて刃体Ａの輪の面に平行に取り付け、及びもう一方の腕部材Ｄに取り付けた部材Ｅのピン穴Ｆの向きは、円弧の刃体Ａの輪の面に向けて刃体Ａの輪の面に平行に取り付け、円弧の刃体Ａの中央に刃体Ａの輪の面に平行に直径１ｍｍのピン穴Ｇを開けた。
【０００９】
図２において、２個の円弧の刃体Ａが輪の面に対して７５度の斜めに切った切り口を合わせて組み合わされ、組み合わせた切り口は２個の刃体Ａのピン穴Ｇを結んだ直線より１ｍｍ上にあるようにする。
【００１０】
図３，図４において、２個の円弧の刃体Ａを組み合わせた両側の部材Ｅのピン穴Ｆに直径１ｍｍのピンＨを通し、２個の円弧の刃体ＡがピンＨを中心に円運動である開閉運動の往復運動ができるようにし、２個の円弧の刃体が刃先を向き合わせて組み合わされ、２個の円弧の刃体Ａを組み合わせた両側の円弧の刃体Ａのピン穴Ｇに直径１ｍｍのピンＪを通し、支持部材Ｋに直径１ｍｍのピン穴を開けピンＪを通し、支持部材Ｋは円弧の刃体Ａの両側にピンＪを用いて取り付け、上下の円弧の刃体Ａの両側に取り付けた２個の支持部材Ｋを厚さ１ｍｍの板バネＸに取り付け、上下で２個の板バネＸは支持部材Ｋを取り付けた反対側で接続して固定し、板バネＸの外側（上側）に押圧操作レバーＹを取り付け、上下で２個の板バネＸと押圧操作レバーＹは厚さ１ｍｍで幅２ｍｍの帯状の輪Ｚを一回り巻いて取り付け、押圧操作レバーＹを押して下げることで、上下で２個の板バネＸは近づくように、押圧操作レバーＹは梃子を使えるように加工して取り付け、押圧操作レバーＹを押して下げることで、上下の刃体Ａの刃Ｂの先が全線で完全に接触し、上下の刃体Ａの刃Ｂの間にあるペットの爪を切ることができるペット用爪切りである。
【００１１】
【発明の効果】
一回の爪切りで、爪の回りを丸く滑らかに切れ、爪先が丸くなる。
【図面の簡単な説明】
【図１】ペット用爪切りの刃体。立面図は断面図。
【図２】２個の刃体Ａを組み合わせた図。断面図。
【図３】ペット用爪切りの全体図。
【図４】ペット用爪切りの刃部組立の詳細図。側面図は断面図。
【符号の説明】
Ａ：刃体、    Ｂ：刃体Ａの刃、    Ｃ：腕部材、    Ｄ：腕部材、    Ｅ：腕部材に取り付けた部材、    Ｆ：ピン穴、    Ｇ：ピン穴、    Ｈ：ピン、  Ｊ：ピン、    Ｋ：板バネＸに取り付けた支持部材、    Ｘ：板バネ、    Ｙ：押圧操作レバー、    Ｚ：輪、
【図１】
2004208993.tif 000003
【図２】
2004208993.tif 000004
【図３】
2004208993.tif 000005
【図４】
2004208993.tif 000006
【手続補正書】
【提出日】平成15年6月6日(2003.6.6)
【手続補正１】
【補正対象書類名】明細書
【補正対象項目名】請求項１
【補正方法】変更
【補正の内容】
【請求項１】
犬猫等のペットの爪を切る爪切りで、楕円形の厚みの有る輪を二分割して刃体Ａを造り、楕円形の厚みの有る輪の刃体Ａの両端の切り口は楕円形の輪の面に対して斜めに切って、又は円形の厚みの有る輪を二分割して刃体Ａを造り、円形の厚みの有る輪の刃体Ａの両端の切り口は円形の輪の面に対して斜めに切って、厚みの有る輪を二分割した円弧の刃体Ａの片端付近の外側に腕部材Ｃを外側に向けて取り付け、腕部材Ｃは円弧の刃体Ａの輪の面に水平に取り付け、輪を二分割した円弧の刃体Ａのもう一方の片端付近の外側に腕部材Ｄを外側に向けて取り付け、腕部材Ｄは円弧の刃体Ａの輪の面に水平に取り付け、厚みの有る輪を斜めに切った円弧の刃体Ａにおいて円弧の長い方に腕部材Ｃと腕部材Ｄを取り付けて、厚みの有る輪を斜めに切った円弧の刃体Ａにおいて円弧の短い方の縁を刃Ｂに加工し、腕部材Ｃにピン穴Ｆの開いた部材Ｅを取り付け、及びもう一方の腕部材Ｄにピン穴Ｆの開いた部材Ｅを取り付け、腕部材Ｃに取り付けた部材Ｅのピン穴Ｆの向きは、円弧の刃体Ａの輪の面に向けて刃体Ａの輪の面に平行に取り付け、及びもう一方の腕部材Ｄに取り付けた部材Ｅのピン穴Ｆの向きは、円弧の刃体Ａの輪の面に向けて刃体Ａの輪の面に平行に取り付け、円弧の刃体Ａの中央に刃体Ａの輪の面に平行にピン穴Ｇを開け、２個の円弧の刃体Ａが輪の面に対して斜めに切った切り口を合わせて組み合わされ、腕部材Ｃの長さと腕部材Ｄの長さを調節して２個の円弧の刃体Ａを組み合わせ、組み合わせた切り口は２個の刃体Ａのピン穴Ｇを結んだ直線より上にあり、２個の円弧の刃体Ａを組み合わせた両側の部材Ｅのピン穴ＦにピンＨを通し、２個の円弧の刃体ＡがピンＨを中心に円運動である開閉運動の往復運動ができるようにし、２個の円弧の刃体Ａが刃先を向き合わせて組み合わされ、２個の円弧の刃体Ａを組み合わせた両側の円弧の刃体Ａのピン穴ＧにピンＪを通し、支持部材Ｋにピン穴を開けピンＪを通し、支持部材Ｋは円弧の刃体Ａの両側にピンＪを用いて取り付け、上下の円弧の刃体Ａの両側に取り付けた２個の支持部材Ｋを板バネＸに取り付け、上下で２個の板バネＸが支持部材Ｋを取り付けた反対側で接続して固定し、板バネＸの外側に押圧操作レバーＹを取り付け、上下で２個の板バネＸと押圧操作レバーＹは輪Ｚを廻らせて取り付け、押圧操作レバーＹを押して下げることで、上下で２個の板バネＸは近づくように押圧操作レバーＹを加工して取り付け、押圧操作レバーＹを押して下げることで、上下の刃体Ａの刃Ｂの先が全線で完全に接触し、上下の刃体Ａの刃Ｂの間にあるペットの爪を切ることができる、以上のことを特徴とするペット用爪切り。
【手続補正２】
【補正対象書類名】明細書
【補正対象項目名】０００２
【補正方法】変更
【補正の内容】
【０００２】
【従来の技術】
ペット用の爪切りで爪を切ると、爪の回りが角張って切れ、爪が引っ掛かる。先行技術文献としては、特開昭５６−７５０３８号公報や実開平４−６８６６２号公報がある。